(57)【要約】【課題】回転式コネクタ、レバーロック式コネクタのいずれとも接続可能で、更にスリップ接続も可能な医療用ポートを提供する。【解決手段】筒状部１１０と、筒状部に嵌着されたキャップ１５０と、スリット１８１が形成され、筒状部とキャップとで挟持された弁体１８０とを備えた医療用ポートである。筒状部に対してキャップが回転するのを制限する回転制限構造が筒状部及びキャップに設けられている。筒状部の中心軸に対して回転対称な複数の突出部１６０と、周方向に連続する環状突起１６２とが、先端から基端に向かってこの順に医療用ポートの外周面上に設けられている。【選択図】図１
2010194105.tif 000002
【特許請求の範囲】
【請求項１】
円筒状の筒状部と、前記筒状部に嵌着されたキャップと、中央にスリットが形成され、周縁部が前記筒状部と前記キャップとで挟持された弁体とを備えた医療用ポートであって、
前記筒状部に対して前記キャップが回転するのを制限する回転制限構造が前記筒状部及び前記キャップに設けられており、
前記筒状部の中心軸に対して回転対称な複数の突出部と、周方向に連続する環状突起とが、先端から基端に向かってこの順に外周面上に設けられていることを特徴とする医療用ポート。
【請求項２】
前記筒状部の外周面に第１突起が形成されており、前記キャップの内周面に爪が形成されており、
前記筒状部の前記第１突起と前記キャップの前記爪とが係合することで、前記弁体が前記筒状部と前記キャップとの間に挟持され、
前記回転制限構造は、前記爪と、前記第１突起と前記爪とが係合した状態において前記筒状部に対して前記キャップが回転しようとしたときに前記爪と当接するように前記筒状部の外周面に前記第１突起よりも基端側に設けられた第２突起とから構成される請求項１に記載の医療用ポート。
【請求項３】
前記筒状部の前記第１突起と前記キャップの前記爪とが係合していない状態において前記筒状部に対して前記キャップが回転しようとしたときに前記爪と当接するように前記筒状部の外周面に前記第１突起よりも先端側に第３突起が設けられている請求項２に記載の医療用ポート。
【請求項４】
前記突出部の数が２つである請求項１〜３のいずれかに記載の医療用ポート。
【請求項５】
前記医療用ポートは、回転式コネクタ及びレバーロック式コネクタと接続可能であり、
前記複数の突出部は前記回転式コネクタのフリーロックナットの内周面に形成された複数の凸部と係合し、
前記環状突起は前記レバーロック式コネクタの一対のロックレバーの先端に形成された係止爪と係合する請求項１〜４のいずれかに記載の医療用ポート。
【請求項６】
周方向に連続する環状サービス突起が、前記複数の突出部と前記環状突起との間の前記外周面上に更に設けられている請求項１〜５のいずれかに記載の医療用ポート。
【請求項７】
請求項１〜６のいずれかに記載の医療用ポートと容器本体とを備えた医療用容器。
【発明の詳細な説明】
【技術分野】
【０００１】
本発明は、薬液や高カロリー輸液などの液状物を貯留しうる医療用容器などに好適に用いることができる医療用ポートに関する。また、本発明は医療用ポートを備えた医療用容器に関する。
【背景技術】
【０００２】
経口によらずに患者に栄養成分や薬剤成分を含む液状物を投与する方法として静脈栄養療法や経腸栄養療法等の輸液療法が知られている。輸液療法では、患者に投与される液状物を調整し一時的に貯留するために医療用容器が使用される。この医療用容器は、一般にパウチ等の袋状物からなる容器本体と、容器本体に対して液状物を出し入れするための医療用ポートとからなる。
【０００３】
医療用ポートとして、中央部に直線状のスリット（切り込み）が形成された円板状のゴム製の弁体（一般に「セプタム」と呼ばれる）を備えた、いわゆるニードルレスポートが知られている。セプタムのスリットに鋭利な先端を有しない管状体を突き刺すことで、この管状体を介して容器本体の内外を連通させることができる。セプタムから管状体を抜き取るとセプタムのスリットは直ちに閉じる。このように、セプタムはリシール性を有し、繰り返し管状体を抜き差しすることが可能である（例えば特許文献１参照）。
【０００４】
セプタムのスリットに挿入される管状体としては、針が付いていない注射器の先端（ルアー）や、輸液セット等のチューブの一端に取り付けられたオスコネクタなどがある。これらの管状体をセプタムのスリットに挿入して管状体とニードルレスポートとを接続する方法は一般に「スリップ接続」と呼ばれる。
【０００５】
スリップ接続は、管状体がセプタムに単に挿入されているだけであるので、外力が加わったり液状物を圧送したりする場合には、管状体がセプタムから抜けやすいという問題がある。これを防止するために、管状体がセプタムに挿入された状態でニードルレスポートと係合状態が形成されるように構成されたコネクタが公知である。
【０００６】
例えば、特許文献２には、いわゆる「回転式コネクタ」が記載されている。回転式コネクタは、セプタムのスリットに挿入される管状体と、この管状体に外装されるフリーロックナットとを備える。フリーロックナットの内周面には、一対の凸部が形成されている。一方、セプタムが保持されたニードルレスポートの外周面には、フリーロックナットの一対の凸部と係合可能な一対の突出部が形成される。セプタムのスリットに管状体を挿入し、次いで、フリーロックナットを回転させてフリーロックナットの一対の凸部をニードルレスポートの一対の突出部に係合させる。
【０００７】
特許文献１、特許文献３及び特許文献４には、いわゆる「レバーロック式コネクタ」が記載されている。レバーロック式コネクタは、セプタムのスリットに挿入される管状体と、管状体を挟んで配置された、先端に係止爪が形成された一対のロックレバーとを備える。一方、セプタムが保持されたニードルレスポートの外周面には、周方向に連続する環状サービス突起及び環状突起が形成されている。ロックレバーの係止爪が環状サービス突起に係合した仮接続状態では、管状体がセプタムのスリットに挿入されないでレバーロック式コネクタがニードルレスポートに係止される。仮接続状態からレバーロック式コネクタをニードルレスポートに押し込むと、管状体がセプタムのスリットに挿入されるとともに、ロックレバーの係止爪が環状突起と係合する。
【０００８】
上記の回転式コネクタ及びレバーロック式コネクタによれば、ニードルレスポート及びコネクタに、互いに係合し合う係合構造がそれぞれ形成されているので、管状体がセプタムのスリットに挿入された状態を安定して維持することができる。
【先行技術文献】
【特許文献】
【０００９】
【特許文献１】特開２００７−２６７９８６号公報
【特許文献２】特許第３３８９９８３号公報
【特許文献３】特開２００４−４８３号公報
【特許文献４】特開２００６−１４１７１４号公報
【発明の概要】
【発明が解決しようとする課題】
【００１０】
ところが、上記の回転式コネクタとレバーロック式コネクタとは、ニードルレスポートに対する係合構造が異なる。従って、回転式コネクタに適合したニードルレスポートにレバーロック式コネクタの一対のロックレバーの先端に形成された係止爪を係止することができず、また、レバーロック式コネクタに適合したニードルレスポートに回転式コネクタのフリーロックナットに形成された一対の凸部を係止することができない。このように、従来のニードルレスポートを備えた医療用ポートは、接続できるコネクタに制限があった。
【００１１】
本発明は、回転式コネクタ、レバーロック式コネクタのいずれとも接続可能で、更にスリップ接続も可能な医療用ポートを提供することを目的とする。また、本発明は、このよな医療用ポートを備えた医療用容器を提供することを目的とする。
【課題を解決するための手段】
【００１２】
本発明の医療用ポートは、円筒状の筒状部と、前記筒状部に嵌着されたキャップと、中央にスリットが形成され、周縁部が前記筒状部と前記キャップとで挟持された弁体とを備える。前記筒状部に対して前記キャップが回転するのを制限する回転制限構造が前記筒状部及び前記キャップに設けられている。前記筒状部の中心軸に対して回転対称な複数の突出部と、周方向に連続する環状突起とが、先端から基端に向かってこの順に医療用ポートの外周面上に設けられている。
【００１３】
本発明の医療用容器は、上記の本発明の医療用ポートと容器本体とを備える。
【発明の効果】
【００１４】
本発明の医療用ポートによれば、複数の突出部を利用して回転式コネクタを接続することができる。しかも、回転制限構造が筒状部に対してキャップが回転するのを制限するので、回転式コネクタのフリーロックナットと複数の突出部との係合及びその解除の操作を安定して行うことができる。
【００１５】
また、環状突起を利用してレバーロック式コネクタを接続することができる。
【００１６】
更に、弁体のスリットに、針が付いていない注射器の先端や、栄養セットや輸液セット等のチューブの一端に取り付けられたオスコネクタなどの管状体を挿入してスリップ接続をすることができる。
【００１７】
従って、回転式コネクタ、レバーロック式コネクタのいずれをも接続可能で、更にスリップ接続も可能な医療用ポートを提供することができる。
【図面の簡単な説明】
【００１８】
【図１】図１は、本発明の医療用ポートの一実施形態を示した斜視図である。
【図２】図２は、図１の２−２線を含む面に沿った第１ポートの矢視断面図である。
【図３】図３は、図１に示した医療用ポートを構成する基台を示した斜視図である。
【図４】図４は、図３の４−４線を含む面に沿った基台の矢視断面図である。
【図５】図５は、図３の５−５線を含む面に沿った基台の矢視断面図である。
【図６】図６Ａは図１に示した医療用ポートを構成するキャップの上側から見た斜視図、図６Ｂはキャップの下側から見た斜視図である。
【図７】図７は、図６Ａの７−７線を含む面に沿ったキャップの矢視断面図である。
【図８】図８Ａは図１に示した医療用ポートを構成する栓体の斜視図、図８Ｂは図８Ａの８Ｂ−８Ｂ線を含む面に沿った栓体の矢視断面図である。
【図９】図９Ａは本発明の医療用ポートの第１ポートに接続可能な回転式コネクタの接続側から見た斜視図、図９Ｂは回転式コネクタの操作側から見た斜視図である。
【図１０】図１０は、本発明の医療用ポートの第１ポートに回転式コネクタを接続した状態を示した斜視図である。
【図１１】図１１は、図１０の１１−１１線を含む面に沿った断面図である。
【図１２】図１２Ａは本発明の医療用ポートの第１ポートに接続可能なレバーロック式コネクタの接続側から見た斜視図、図１２Ｂは回転式コネクタの操作側から見た斜視図である。
【図１３】図１３は、本発明の医療用ポートの第１ポートにレバーロック式コネクタを仮接続した状態（仮接続状態）を示した斜視図である。
【図１４】図１４は、図１３の１４−１４線を含む面に沿った断面図である。
【図１５】図１５は、本発明の医療用ポートの第１ポートにレバーロック式コネクタを本接続した状態（本接続状態）を示した斜視図である。
【図１６】図１６は、図１５の１６−１６線を含む面に沿った断面図である。
【図１７】図１７は、図１に示した本発明の医療用ポートを備えた医療用容器の一実施形態を示した図である。
【発明を実施するための形態】
【００１９】
上記の本発明の医療用ポートにおいて、前記筒状部の外周面に第１突起が形成されており、前記キャップの内周面に爪が形成されており、前記筒状部の前記第１突起と前記キャップの前記爪とが係合することで、前記弁体が前記筒状部と前記キャップとの間に挟持されることが好ましい。この場合、前記回転制限構造は、前記爪と、前記第１突起と前記爪とが係合した状態において前記筒状部に対して前記キャップが回転しようとしたときに前記爪と当接するように前記筒状部の外周面に前記第１突起よりも基端側に設けられた第２突起とから構成されることが好ましい。この好ましい構成によれば、キャップに形成された爪を、キャップを筒状部に固定するためと、筒状部に対してキャップが回転するのを制限するためとに共用することができるので、構成を簡単化することができる。
【００２０】
前記筒状部の前記第１突起と前記キャップの前記爪とが係合していない状態において前記筒状部に対して前記キャップが回転しようとしたときに前記爪と当接するように前記筒状部の外周面に前記第１突起よりも先端側に第３突起が設けられていることが好ましい。これにより、筒状部にキャップを装着する作業が容易になる。
【００２１】
前記突出部の数が２つであることが好ましい。これにより、回転式コネクタを接続する作業が容易になる。
【００２２】
前記医療用ポートは、回転式コネクタ及びレバーロック式コネクタと接続可能であり、前記複数の突出部は前記回転式コネクタのフリーロックナットの内周面に形成された複数の凸部と係合し、前記環状突起は前記レバーロック式コネクタの一対のロックレバーの先端に形成された係止爪と係合することが好ましい。これにより、公知の回転式コネクタ及び公知のレバーロック式コネクタを接続することができる医療用ポートを実現できる。
【００２３】
周方向に連続する環状サービス突起が、前記複数の突出部と前記環状突起との間の前記外周面上に更に設けられていることが好ましい。これにより、環状サービス突起を利用してレバーロック式コネクタを仮接続することができる。
【００２４】
以下に、本発明を好適な実施形態を示しながら詳細に説明する。但し、本発明は以下に示す実施形態に限定されないことはいうまでもない。
【００２５】
［医療用ポートの構成］
図１は、本発明の医療用ポート３００の一実施形態を示した斜視図である。図１に示すように、医療用ポート３００は、基台３０１と、基台３０１に設けられた第１ポート１００及び第２ポート２００とからなる。
【００２６】
以下の説明の便宜のために、図示したように、第１ポート１００中心軸と平行な方向をＺ軸、Ｚ軸と直交し且つ第１ポート１００と第２ポート７００とを結ぶ方向をＸ軸、Ｚ軸及びＸ軸と直交する方向をＹ軸とする。Ｚ軸方向を「上下方向」と呼び、Ｚ軸の矢印の側（即ち図１の紙面上側）を「上側」又は「先端側」と呼び、その反対側（図１の紙面下側）を「下側」又は「基端側」と呼ぶ。
【００２７】
基台３０１は、ＸＹ面と平行な板状の平板部３１０と、平板部３１０から下側に向かってＺ軸と平行に立設された周囲壁３２０とを備える。
【００２８】
図２は、図１の２−２線を含む面（即ち、第１ポート１００の中心軸を含み且つＹＺ面と平行な面）に沿った第１ポート１００の矢視断面図である。第１ポート１００は、平板部３１１に立設された略円筒状の筒状部１０１と、筒状部１０１の上端に嵌着されたキャップ１５０と、筒状部１０１の上側（先端側）端の開口を封止する弁体１８０とからなる。
【００２９】
図３は、基台３０１の斜視図である。図４は、図３の４−４線を含む面（即ち、筒状部１０１の中心軸１０１ａ（これは第１ポート１００の中心軸と一致する）を含み且つＹＺ面と平行な面）に沿った基台３０１の矢視断面図である。図５は、図３の５−５線を含む面（即ち、筒状部１０１の中心軸１０１ａを含み且つＸＺ面と平行な面）に沿った基台３０１の矢視断面図である。平板部３１０に円形の端縁を有する第１開口３１１及び第２開口３１２が形成されている。第１開口３１１及び第２開口３１２を取り囲むように、筒状部１０１及び筒状部２０１が、周囲壁３２０とは反対側（上側）に向かって平板部３１０上に立設されている。
【００３０】
略円筒形状の筒状部１０１の外周面には、周方向に延びた一対の第１突起１１０、Ｚ軸と平行に延びた４つの第２突起１２０、及び、周方向に延びた一対の第３突起１３０を備える。第１突起１１０、第２突起１２０、及び第３突起１３０は、筒状部１０１の中心軸１０１ａに対して２回対称（１８０度回転すると元の形状と一致する）の回転対称形状を有している。
【００３１】
第１突起１１０は、その外径が最大となる部分である頂部１１１と、頂部１１１に隣接してこれより上側（先端側）に配された傾斜面１１２とを備える。
【００３２】
第３突起１３０は、その外径が最大となる部分である頂部１３１を備える。頂部１３１は、第１突起１１０の頂部１１１よりも上側（先端側）に位置している。一対の第３突起１３０の頂部１３１での外寸法Ｄ131は、一対の第１突起１１０の頂部１１１での外寸法Ｄ111よりも大きい。
【００３３】
筒状部１０１の周方向において、第１突起１１０と第３突起１３０とが交互に配されている。筒状部１０１の周方向において、第２突起１２０の位置は、第３突起１３０の周方向の端部１３２の位置と一致している。Ｚ軸方向において、第２突起１２０は、第１突起１１０の頂部１１１よりも基端側（下側）の領域に設けられている。
【００３４】
図６Ａはキャップ１５０の上側から見た斜視図、図６Ｂはキャップ１５０の下側から見た斜視図、図７は図６Ａの７−７線を含む面に沿ったキャップ１５０の矢視断面図である。キャップ１５０は、略円筒形状を有する周囲壁１５１と、周囲壁１５１の一端に設けられた天板１７０とを備える。
【００３５】
周囲壁１５１の外周面には、天板１７０側から、一対の突出部１６０、環状サービス突起１６１、環状突起１６２が、この順に形成されている。
【００３６】
一対の突出部１６０は、周方向に延設され、キャップ１５０の中心軸（これは、筒状部１０１の中心軸１０１ａと一致する）に対して対称に配置されている。突出部１６０の位置、形状、寸法は、第１ポート１００に接続しようとする回転式コネクタ（例えば特許文献２参照）を構成するフリーロックナットの内周面に設けられた一対の凸部と係合できるように設定される。例えば、回転式コネクタに適合した公知のニードルレスポートの外周面に設けられている一対の突出部と同じに設定することができる。
【００３７】
環状サービス突起１６１及び環状突起１６２は、周方向に連続して形成されている。環状サービス突起１６１及び環状突起１６２の位置、形状、寸法は、第１ポート１００に接続しようとするレバーロック式コネクタ（例えば特許文献１、特許文献３及び特許文献４参照）の一対のロックレバーの先端に設けられた係止爪と係合できるように設定される。例えば、レバーロック式コネクタに適合した公知のニードルレスポートの外周面に設けられている環状サービス突起及び環状突起と同じに設定することができる。
【００３８】
周囲壁１５１の内周面には、一対の爪１６５が設けられている。一対の爪１６５は、周方向に延設され、キャップ１５０の中心軸に対して対称に配置されている。爪１６５は、その内径が最小となる部分である頂部１６６と、頂部１６６に隣接して頂部１６６よりも天板１７０とは反対側に配された傾斜面１６７とを備える。爪１６５の周方向の長さは、筒状部１０１の外周面に形成された第１突起１１０を挟む２つの第２突起１２０の周方向の間隔と同じかこれより小さい。
【００３９】
天板１７０の中央には開口１７１が形成されている。
【００４０】
図８Ａは、栓体１８０の斜視図である。図８Ｂは、図８Ａの８Ｂ−８Ｂ線を含む面に沿った栓体の矢視断面図である。栓体１８０は、中央に直線状のスリット１８１が形成されたディスク状の弁である。このような弁は、一般に「セプタム」と呼ばれる。
【００４１】
栓体１８０の材料は、特に制限はなく、例えばセプタムの材料として公知の材料を用いることができる。好ましくは一般的なゴム状弾性を示す材料、例えば硬度ＪＩＳ−Ａ硬度が２０〜６０の材料を用いることができる。具体的には、シリコーンゴム、イソプレンゴム、ブチルゴムやニトリルゴム等の合成ゴム、または熱可塑性エラストマー等を例示できる。
【００４２】
第１ポート１００は以下のようにして組み立てられる。
【００４３】
まず、筒状部１０１の先端に栓体１８０を載置する。次いで、栓体１８０を覆うようにキャップ１５０を筒状部１０１に被せる。
【００４４】
筒状部１０１に対するキャップ１５０の中心軸１０１ａ回りの回転位置によっては、キャップ１５０の内周面に形成された爪１６５が第３突起１３０に衝突するかも知れない。この場合は、キャップ１５０を下側（基端側）に強く押し込んでも、キャップ１５０の爪１６５は筒状部１０１の第３突起１３０を乗り越えることができない。この場合には、キャップ１５０を下側に向かって軽く押さえながら、キャップ１５０を筒状部１０１に対して中心軸１０１ａ回りに回転させる。キャップ１５０の爪１６５は、第３突起１３０との衝突から開放され、代わりに第１突起１１０と衝突する。第１突起１１０の頂部１１１は第３突起１３０の頂部１３１よりも下側に位置しているので、爪１６５が第１突起１１０に衝突すると同時に、キャップ１５０は僅かに下側に移動する。爪１６５が第１突起１１０に衝突した状態でキャップ１５０を筒状部１０１に対して中心軸１０１ａ回りに回転させようとすると、爪１６５の周方向の端部１６８（図６Ｂ参照）が第３突起１３０の周方向の端部１３２と衝突するのでキャップ１５０の回転は制限される。爪１６５が第１突起１１０に衝突した状態でキャップ１５０を下側に押し込むと、爪１６５の傾斜面１６７と第１突起１１０の傾斜面１１２とが接触しながら互いに反対方向に摺動し、爪１６５の頂部１６６間の内寸法が拡大するようにキャップ１５０が弾性変形する。一対の第１突起１１０の頂部１１１での外寸法Ｄ111は、一対の第３突起１３０の頂部１３１での外寸法Ｄ131よりも小さいので、爪１６５の頂部１６６は第１突起１１０の頂部１１１を乗り越えることができる。爪１６５の頂部１６６が第１突起１１０の頂部１１１を乗り越えると、キャップ１５０が弾性回復して、爪１６５と第１突起１１０とが係合する。これと同時に、弁体１８０の周縁部が筒状部１０１の先端とキャップ１５０の天板１７０とで挟持され、筒状部１０１の先端側の開口が弁体１８０によって密封される。また、弁体１８０のスリット１８１が形成された中央領域が、キャップ１５０の中央の開口１７１内に露出する（図１参照）。
【００４５】
第１突起１１０の周方向の両端には、第２突起１２０が設けられている。従って、第１突起１１０と爪１６５とが係合した状態で、キャップ１５０を筒状部１０１に対して中心軸１０１ａ回りに回転させようとすると、爪１６５の周方向の端部１６８が第２突起１２０と衝突し、キャップ１５０を更に回転することはできない。即ち、筒状部１０１の外周面に形成された第２突起１２０と、キャップ１５０の内周面に形成された爪１６５とは、キャップ１５０が筒状部１０１に対して中心軸１０１ａ回りに回転するのを制限する回転制限構造を構成する。本実施形態では、第２突起１２０は、Ｚ軸と平行に延びているが、第１突起１１０と爪１６５とが係合した状態において爪１６５の周方向の移動を制限することができればその形状は特に制限はない。例えば円柱状、多角柱状、円錐状、又は多角錐状の突起であっても良い。
【００４６】
第１ポート１００の組み立て作業では、筒状部１０１に対するキャップ１５０の中心軸１０１ａ回りの回転位置を特に考慮することなく、筒状部１０１にキャップ１５０を被せても良い。場合によっては、キャップ１５０の内周面に形成された爪１６５が筒状部１０１の第３突起１３０に衝突するかも知れない。しかしながら、キャップ１５０を下側に軽く押しながら、キャップ１５０を筒状部１０１に対して中心軸１０１ａ回りに回転させると、キャップ１５０は僅かに下側に移動して爪１６５が第１突起１１０に衝突する。この状態では、爪１６５が第３突起１３０に当接することにより、筒状部２０１に対するキャップ１５０の回転が制限される。この状態を確認した後、キャップ１５０を基端側に強く押し込むと、爪１６５を、第１突起１１０を周方向において挟む２つの第２突起１２０の間に位置した状態で、第１突起１１０と係合させることができる。このように、第３突起１３０は、キャップ１５０の爪１６５が第２突起１２０に乗り上げることなく、爪１６５と第１突起１１０とを確実に係合させるのに役立つ。従って、第１ポート１００の組み立て作業を簡単且つ迅速に行うことができる。
【００４７】
第２ポート２００は、基台３０１の平板部３１０に立設された略円筒形状の筒状部２０１（図３参照）と、筒状部２０１の先端に嵌合されたカバー部材２１２と、周縁部が筒状部２０１の先端とカバー部材２１２とで挟持された栓体２１５とからなる（図１参照）。
【００４８】
栓体２１５は一般に「ゴム栓」と呼ばれる。栓体２１５に鋭利な先端を有する針を穿刺することで、この針を介して栓体２１５の両側空間を連通させることができる。栓体２１５から針を抜き去ると、針を穿刺することで形成された穴が閉じる。栓体２１５の材料は、特に制限はなく、例えば医療用ポートを構成するゴム栓の材料として公知の材料を用いることができる。具体的には、シリコーンゴム、イソプレンゴム、ブチルゴム等のゴム状弾性を示す材料を例示できる。
【００４９】
基台３０１の材料は、特に制限はないが、例えば後述するように容器本体６１０（後述する図１７参照）とヒートシールして医療用容器を構成する場合には、良好なヒートシール性を有していることが好ましい。具体的には、ポリエチレン、ポリプロピレン、ポリ塩化ビニル等の樹脂材料を用いることができる。基台３０１は、このような樹脂材料を用いて射出成形などにより一体成形することができる。
【００５０】
キャップ１５０及びカバー部材２１２の材料も特に制限はなく、例えば従来の医療用ポートで用いられていたのと同じ材料を用いることができる。キャップ１５０は、回転式コネクタ及びロックレバー式コネクタを接続するのに必要な機械的強度を有していることが好ましい。キャップ１５０及びカバー部材２１２の材料として、具体的には、ポリアセタール、ポリカーボネート、ポリアミド、ポリエチレン、ポリプロピレン、ポリエチレンテレフタレート等の樹脂材料を用いることができる。キャップ１５０及びカバー部材２１２も、このような樹脂材料を用いて射出成形などにより一体成形することができる。
【００５１】
［スリップ接続］
上記の医療用ポート３００の第１ポート１００の栓体１８０のスリット１８１に、針が付いていない注射器の先端（ルアー）や、栄養セットや輸液セット等のチューブの一端に取り付けられたオスコネクタなどの管状体を挿入することで、第１ポート１００と管状体とをスリップ接続することができる。栓体１８０から管状体を引き抜くと、栓体１８０のスリット１８１は直ちに閉じる。
【００５２】
このように、本実施形態の第１ポート１００は、従来のニードルレスポートと同様にスリップ接続することができる。
【００５３】
［回転式コネクタとの接続］
上記の医療用ポート３００の第１ポート１００には、例えば特許文献２で公知の従来の回転式コネクタを接続することができる。第１ポート１００に接続可能な回転式コネクタの一例を説明する。図９Ａは回転式コネクタ４００の接続側から見た斜視図、図９Ｂは回転式コネクタ４００の操作側から見た斜視図である。
【００５４】
回転式コネクタ４００は、液状物が通過する管状体４１０と、管状体４１０を固定するためのフリーロックナット４２０とからなる。
【００５５】
管状体４１０は、略円筒形状を有し、その一端は栄養セットや輸液セットを構成するチューブに接続される接続部４１１であり、その他端は第１ポート１００の栓体（セプタム）１８０のスリット１８１に挿入される挿入部４１２である。管状体４１０の外周面には周方向に連続した第１係止突起４１３が形成されている（後述する図１１参照）。
【００５６】
フリーロックナット４２０は、全体として筒形状を有し、一端に円筒状の接続環４２１を有する。接続環４２１の内周面には、管状体４１０に向かって突出した一対の凸部４２２がフリーロックナット４２０の中心軸４２０ａに対して対称に形成されている。凸部４２２の輪郭は略「Ｌ」字状をなし、接続環４２１の周方向に延びた係合壁４２３と、中心軸４２０ａとほぼ平行に延びた停止壁４２４とを含む。
【００５７】
フリーロックナット４２０の内周面には、周方向に連続した第２係止突起４２５が形成されている（後述する図１１参照）。
【００５８】
回転式コネクタ４００は、管状体４１０の接続部４１１を、フリーロックナット４２０の接続環４２１側の開口に挿入することで組み立てられる。管状体４１０の第１係止突起４１３がフリーロックナット４２０の第２係止突起４２５に係止されることにより、管状体４１０がフリーロックナット４２０の接続環４２１とは反対側の開口から抜け落ちることはない。
【００５９】
管状体４１０及びフリーロックナット４２０は、例えばポリカーボネート、ポリプロピレン等の樹脂材料を用いて射出成形等の方法により製造することができる。
【００６０】
第１ポート１００と回転式コネクタ４００との着脱方法は、従来の回転式コネクタとこれに適合した医療用ポートとの着脱と基本的に同じである。以下にこれを説明する。
【００６１】
図１０は、第１ポート１００に回転式コネクタ４００を接続した状態を示した斜視図である。図１１は、図１０の１１−１１線を含む面（即ち、筒状部１０１の中心軸１０１ａを含み且つＹＺ面と平行な面）に沿った断面図である。図１０及び図１１に示す接続状態は以下のようにして実現できる。最初に、管状体４１０の挿入部４１２を第１ポート１００の栓体（セプタム）１８０のスリット１８１に挿入する。これとほぼ同時に、フリーロックナット４２０の凸部４２２がキャップ１５０の突出部１６０に衝突しないように第１ポート１００に対するフリーロックナット４２０の回転位置を調整して、フリーロックナット４２０の接続環４２１をキャップ１５０に被せる。次いで、フリーロックナット４２０を第１ポート１００に対して僅かに回転させて、キャップ１５０の突出部１６０と、フリーロックナット４２０の凸部４２２の係合壁４２３とを係合させる。キャップ１５０の突出部１６０がフリーロックナット４２０の停止壁４２４に当接するまでフリーロックナット４２０を回転させると、突出部１６０と係合壁４２３との係合領域が最大となり、回転式コネクタ４００を第１ポート１００に安定して接続することができる。かくして、図１１に示すように第１ポート１００と管状体４１０とが連通する。
【００６２】
回転式コネクタ４００の第１ポート１００からの取り外しは上記と逆の操作を行えばよい。即ち、フリーロックナット４２０を第１ポート１００に対して上記とは逆方向に回転させて、キャップ１５０の突出部１６０とフリーロックナット４２０の凸部４２２の係合壁４２３との係合を解除する。次いで、第１ポート１００の栓体１８０のスリット１８１から管状体４１０の挿入部４１２を引き抜く。栓体１８０のスリット１８１は、挿入部４１２が抜き取られると直ちに閉じてシールされる。
【００６３】
上述したように、筒状部１０１の外周面に形成された第１突起１１０とキャップ１５０の内周面に形成された爪１６５とが係合した状態において、キャップ１５０の爪１６５が当接するように筒状部１０１の外周面に第２突起１２０を設けることにより、キャップ１５０が筒状部１０１に対して回転するのが制限される。従って、回転式コネクタ４００を第１ポート１００に着脱する際にフリーロックナット４２０を第１ポート１００に対して回転させても、キャップ１５０はフリーロックナット４２０とともに筒状部１０１に対して回転しない。よって、フリーロックナット４２０を回転させることによって、キャップ１５０の突出部１６０とフリーロックナット４２０の係合壁４２３との係合及びその解除を安定的に行うことができる。
【００６４】
以上のように、本実施形態の第１ポート１００は、一対の突出部１６０を利用して回転式コネクタ４００を接続することができる。
【００６５】
［レバーロック式コネクタとの接続］
上記の医療用ポート３００の第１ポート１００には、例えば特許文献１、特許文献３及び特許文献４で公知の従来のレバーロック式コネクタを接続することもできる。第１ポート１００に接続可能なレバーロック式コネクタの一例を説明する。図１２Ａはレバーロック式コネクタ５００の接続側から見た斜視図、図１２Ｂはレバーロック式コネクタ５００の操作側から見た斜視図である。
【００６６】
レバーロック式コネクタ５００は、その中央に、液状物が通過する筒状の管状体５１０を有する。管状体５１０は、略円筒形状を有し、その一端は栄養セットや輸液セットを構成するチューブに接続される接続部５１１であり、その他端は第１ポート１００の栓体（セプタム）１８０のスリット１８１に挿入される挿入部５１２である（後述する図１４、図１６参照）。
【００６７】
管状体５１０の挿入部５１２を取り囲むように、略円筒状のフード５２０が配置されている。一対の連結部５２１がフード５２０と管状体５１０とを接続している。
【００６８】
管状体５１０を挟んで一対のロックレバー５３０が配置されている。ロックレバー５３０は、管状体５１０の長手方向とほぼ平行に延在し、挿入部５１２側に係止片５３１を有し、接続部５１１側に操作片５３２を有する。ロックレバー５３０は、係止片５３１と操作片５３２との間の位置に設けられた弾性連結部５３９を介してフード５２０に接続されている。係止片５３１はフード５２０に形成された切り欠き５２２内に配置され、操作片５３２は管状体５１０の長手方向とほぼ平行にフード５２０よりも接続部５１１側に突出している。一対のロックレバー５３０の一対の操作片５３２を、互いに接近するように指でつまむと、弾性連結部５３９が弾性変形して、一対の係止片５３１が互いに離間するように変位する。この状態から、一対の操作片５３２から指を離すと、弾性連結部５３９が弾性回復して一対の係止片５３１が互いに接近して初期状態に戻る。係止片５３１の挿入部５１２に対向する面には、挿入部５１２に向かって係止爪５３３が立設されている。
【００６９】
レバーロック式コネクタ５００は、例えば樹脂材料を用いて射出成形等の方法により一体に製造することができる。レバーロック式コネクタ５００の材料は、特に制限はないが、挿入部５１２を栓体１８０のスリット１８１に挿入させるために必要な硬度と、ロックレバー５３０を揺動可能にするのに必要な弾性とを有することが好ましい。例えば、ポリカーボネート、ポリプロピレン等が好適である。
【００７０】
第１ポート１００とレバーロック式コネクタ５００との着脱方法は、従来のレバーロック式コネクタとこれに適合した医療用ポートとの着脱と基本的に同じである。以下にこれを説明する。
【００７１】
まず、第１ポート１００にレバーロック式コネクタ５００を接続する方法を説明する。
【００７２】
図１３は、第１ポート１００にレバーロック式コネクタ５００を仮接続した状態（仮接続状態）を示した斜視図である。図１４は、図１３の１４−１４線を含む面（即ち、筒状部１０１の中心軸１０１ａを含み且つＹＺ面と平行な面）に沿った断面図である。図１３及び図１４に示す仮接続状態は以下のようにして得ることができる。即ち、第１ポート１００にレバーロック式コネクタ５００のフード５２０を外挿する。そして、キャップ１５０の外周面に形成された環状サービス突起１６１にレバーロック式コネクタ５００の係止爪５３３を係合させる。このとき、レバーロック式コネクタ５００の挿入部５１２は第１ポート１００の栓体１８０に接近又は接しているが、栓体１８０に形成されたスリット１８１（図１、図８参照）には挿入されていない。この仮接続状態では、一対のロックレバー５３０を操作して環状サービス突起１６１と係止爪５３３との係合状態を解除しない限り、第１ポート１００とレバーロック式コネクタ５００とを分離することはできない。
【００７３】
図１５は、第１ポート１００にレバーロック式コネクタ５００を本接続した状態（本接続状態）を示した斜視図である。図１６は、図１５の１６−１６線を含む面（即ち、筒状部１０１の中心軸１０１ａを含み且つＹＺ面と平行な面）に沿った断面図である。図１５及び図１６に示した本接続状態は、図１３及び図１４に示した仮接続状態からレバーロック式コネクタ５００を基台３０１に向かって更に押し込むことで得られる。本接続状態では、レバーロック式コネクタ５００の係止爪５３３は、キャップ１５０の外周面に形成された環状突起１６２に係合する。また、レバーロック式コネクタ５００の挿入部５１２は、第１ポート１００の栓体１８０のスリット１８１に挿入される。かくして、図１６に示すように第１ポート１００と管状体５１０とが連通する。この本接続状態でも、一対のロックレバー５３０を操作して環状突起１６２と係止爪５３３との係合状態を解除しない限り、第１ポート１００とレバーロック式コネクタ５００とを分離することはできない。
【００７４】
レバーロック式コネクタ５００の第１ポート１００からの取り外しは以下のようにして行う。即ち、図１５及び図１６に示した本接続状態において、レバーロック式コネクタ５００の一対のロックレバー５３０の一対の操作片５３２を互いに接近するように指でつまんで、係止爪５３３と環状突起１６２との係合状態を解除する。この状態でレバーロック式コネクタ５００を第１ポート１００から引き抜く。栓体１８０のスリット１８１は、挿入部５１２が抜き取られると直ちに閉じてシールされる。
【００７５】
以上のように、本実施形態の第１ポート１００は、環状サービス突起１６１及び環状突起１６２を利用してレバーロック式コネクタ５００を接続することができる。
【００７６】
［医療用容器］
図１７は、上記の医療用ポート３００を備えた医療用容器６００の一実施形態を示した図である。
【００７７】
医療用容器６００は、容器本体６１０と医療用ポート３００とからなる。容器本体６１０は、柔軟で可撓性を有する同一寸法の略長方形状の２枚のシート６１１を重ね合わせて、その周縁のシール領域６１２にて接合してなる袋状物（いわゆるパウチ）である。上述した医療用ポート３００が、容器本体６１０のシール領域６１２に、２枚のシート６１１間に挟まれた状態で取り付けられている。
【００７８】
シート６１１の材料は、特に制限はないが、例えば、塩化ビニル樹脂、ポリエチレン、エチレン−酢酸ビニル共重合体、ポリエステル、ポリブタジエン、ポリプロピレン、ポリアミド、エチレン−メタクリレート共重合体等が挙げられる。シート６１１の厚みは、特に制限はないが、例えば、０．１〜０．４ｍｍ程度が適当である。容器本体６１０の平面視形状についても特に制限はなく、例えば、長方形状、楕円形状等であってもよい。
【００７９】
医療用ポート３００の基台３０１の周囲壁３２０（図１参照）を容器本体６１０を構成する２枚のシート６１１の周縁間に挟んだ状態で２枚のシート６１１の周縁をシール（例えば、ヒートシール、超音波シール）することで、シール領域６１２を形成するのと同時に医療用ポート３００と容器本体６１０とを接合し一体化することができる。
【００８０】
上述したように、医療用ポート３００の第１ポート１００には、例えば針が付いていない注射器７００の先端（ルアー）７０１をスリップ接続することができる。また、栄養セットや輸液セット等を構成するチューブ４５０の一端に取り付けられた回転式コネクタ４００を接続することができる。更に、栄養セットや輸液セット等を構成するチューブ５５０の一端に取り付けられたレバーロック式コネクタ５００を接続することができる。
【００８１】
上記の実施形態は一例に過ぎず、本発明はこれに限定されず、種々に変更することができる。
【００８２】
例えば、上記の医療用ポート３００は、第１ポート１００の他に、いわゆるゴム栓を備えた第２ポート２００を有していたが、本発明の医療用ポートは、回転式コネクタ及びレバーロック式コネクタを接続することができ、更に、スリップ接続が可能なポートを少なくとも１つ備えていれば良い。従って、例えば第２ポート２００を省略しても良い。また、第１ポート１００と実質的に同じ構成を有するポートを２以上備えていても良い。あるいは、第１ポート１００及び第２ポート２００以外の第３ポートを更に備えていても良い。
【００８３】
第１ポート１００の外周面に設けられる突出部１６０、環状サービス突起１６１、及び環状突起１６２の仕様は、接続しようとする回転式コネクタ及びレバーロック式コネクタの仕様に応じて適宜変更することができる。例えば、突出部１６０の数は、上記の実施形態では２つであったが、３つ以上であっても良い。突出部は、その数に関わらず、回転対称に配置される。但し、突出部１６０の数が少ないほど、第１ポート１００に回転式コネクタ４００を接続する際に、第１ポート１００に対するフリーロックナット４２０の回転位置合わせをよりラフにしても、挿入部４１２を栓体１８０のスリット１８１に挿入することができるようになり、回転式コネクタの接続作業性は向上する。
【００８４】
上記の実施形態では、突出部１６０、環状サービス突起１６１、及び環状突起１６２は全てキャップ１５０の外周面に形成されていたが、これらは第１ポート１００の外周面に形成されていれば良く、例えばこれらのうちの少なくとも１つが筒状部１０１の外周面に形成されていても良い。但し、突出部１６０、環状サービス突起１６１、及び環状突起１６２は、回転式コネクタ及びレバーロック式コネクタを係止することができる程度の機械的強度を有している必要がある。上記の実施形態のように、良好なヒートシール性が要求される周囲壁３２０と一体に筒状部１０１を成形する場合には、筒状部１０１の材料の選択余地が狭まり、筒状部１０１上に所望する機械的強度を有する突出部１６０、環状サービス突起１６１、及び環状突起１６２を筒状部１０１上に形成することが困難になる場合がある。このような場合には、上記の実施形態のように、突出部１６０、環状サービス突起１６１、及び環状突起１６２を筒状部１０１とは別部品であるキャップ１５０に設けることで、所望する機械的強度を有する突出部１６０、環状サービス突起１６１、及び環状突起１６２を容易に得ることができる。
【００８５】
環状サービス突起１６１を省略することができる。この場合、レバーロック式コネクタ５００を仮接続することはできない。
【００８６】
本発明の医療用ポートが設けられた医療用容器の構成は、図１７に限定されない。例えば、容器本体は、２枚のシートからなる袋状物に限定されず、医療用容器において公知の任意の構成であっても良い。容器本体の構成に応じて、本発明の医療用ポートの容器本体との接続部分の構成を適宜変更することができる。また、本発明の医療用ポートが、容器本体の少なくとも一部を構成していても良い。
【産業上の利用可能性】
【００８７】
本発明の医療用ポートの利用分野は特に制限はない。例えば静脈栄養療法や経腸栄養療法等の輸液療法を行う際に使用される医療用容器に取り付けて使用することができる。あるいは、輸液療法を行う際に使用される栄養セットや輸液セット等の途中に設けられる混注ポートとして使用することもできる。
【符号の説明】
【００８８】
１００  第１ポート
１０１  筒状部
１０１ａ  筒状部の中心軸
１１０  第１突起
１１１  第１突起の頂部
１１２  第１突起の傾斜面
１２０  第２突起
１３０  第３突起
１３１  第３突起の頂部
１３２  第３突起の端部
１５０  キャップ
１５１  周囲壁
１６０  突出部
１６１  環状サービス突起
１６２  環状突起
１６５  爪
１６６  爪の頂部
１６７  爪の傾斜面
１６８  爪の端部
１７０  天板
１７１  開口
１８０  弁体
１８１  スリット
２００  第２ポート
２０１  筒状部
２１２  カバー部材
２１５  栓体
３００  医療用ポート
３０１  基台
３１０  平板部
３１１  第１開口
３１２  第２開口
３２０  周囲壁
４００  回転式コネクタ
４１０  管状体
４１１  接続部
４１２  挿入部
４１３  第１係止突起
４２０  フリーロックナット
４２１  接続環
４２２  凸部
４２３  係合壁
４２４  停止壁
４２５  第２係止突起
４５０  チューブ
５００  レバーロック式コネクタ
５１０  管状体
５１１  接続部
５１２  挿入部
５２０  フード
５２１  連結部
５２２  切り欠き
５３０  ロックレバー
５３１  係止爪
５３２  操作片
５３３  係止爪
５３９  弾性連結部
５５０  チューブ
６００  医療用容器
６１０  容器本体
６１１  シート
６１２  シール領域
７００  注射器
７０１  注射器の先端
【図１】
2010194105.tif 000003
【図２】
2010194105.tif 000004
【図３】
2010194105.tif 000005
【図４】
2010194105.tif 000006
【図５】
2010194105.tif 000007
【図６】
2010194105.tif 000008
【図７】
2010194105.tif 000009
【図８】
2010194105.tif 000010
【図９】
2010194105.tif 000011
【図１０】
2010194105.tif 000012
【図１１】
2010194105.tif 000013
【図１２】
2010194105.tif 000014
【図１３】
2010194105.tif 000015
【図１４】
2010194105.tif 000016
【図１５】
2010194105.tif 000017
【図１６】
2010194105.tif 000018
【図１７】
2010194105.tif 000019